(57)【特許請求の範囲】
【請求項１】
被検者に視力検査視標を順次呈示する視標呈示手段と、被検者の応答を入力する入力手段と、入力された応答の正誤を判定する判定手段を有し、被検者の視力を検査する視力検査装置において、被検眼の通常視力を測定する通常視力検査モ−ドから被検眼の開瞼持続時の視力変化を測定する実用視力検査モ−ドに切換えるモ−ド切換手段と、被検眼の通常視力値に対応する視力値の視標を最初に呈示して検査を開始し、被検者の応答が所定の基準を満たさないときはより低い視力値の視標を呈示する視標呈示プログラムと、実用視力検査モ−ド時の測定結果を時間軸とともに記憶する測定結果記憶手段と、を備えることを特徴とする視力検査装置。
【請求項２】
被検者に視力検査視標を順次呈示する視標呈示手段と、被検者の応答を入力する入力手段と、入力された応答の正誤を判定する判定手段を有し、被検者の視力を検査する視力検査装置において、被検眼の開瞼持続時の視力変化を測定する実用視力検査モ−ドに切換えるモ−ド切換手段と、有する被検眼の通常視力値に対応する視力値の視標を最初に呈示して検査を開始し、被検者の応答が所定の基準を満たさないときはより低い視力値の視標を呈示する視標呈示プログラムと、被検眼の開瞼状態を検知して瞬きがあると視標呈示プログラムを終了させるプログラム終了手段と、実用視力検査モ−ド時の測定結果を記憶する測定結果記憶手段と、を備えることを特徴とする視力検査装置。
【請求項３】
請求項２の視力検査装置において、前記プログラム終了手段は被検眼の開瞼状態を光学的に検出する光学的検出手段を持つことを特徴とする視力検査装置。
【請求項４】
請求項１または請求項２の視力検査装置は、前記呈示視標の所定の呈示時間を変更する時間変更手段を有することを特徴とする視力検査装置。
【請求項５】
請求項１または請求項２の視力検査装置は、呈示視標に対する応答の正答が所定の基準を満たさないときに低下させる視力値の変化段階を１段階又は複数段階に変更するための視力値変化段階変更手段を有することを特徴とする視力検査装置。
【発明の詳細な説明】
【０００１】
【発明の属する技術分野】
本発明は、視力検査を行う装置及び視力検査システムに関する。
【０００２】
【従来技術】
従来、被検者に視標を呈示し、その応答によって被検者の視力を検査、測定する視力検査装置が知られている。この視力検査装置は所定の視力値を持った視標を被検者に見せ、その視標の判別が正しければ（あるいは、３個中２個正答のように、正答が所定の基準を満たせば）、次に一段高い視力値の視標を呈示する。次の視標の判別も正しければ、さらに一段高い視力値の視標を呈示していく。このようして被検者が判別できる視標の最大視力値を求めるものである（以下、このような視力検査にて求められた視力を「通常視力」と記す）。
【０００３】
【発明が解決しようとする課題】
上記のような通常の視力検査においては、被検者は眼を細めたり、通常よりまばたきの回数を増やす等、眼の状態を一番見え易い状態に保ちながら検査に臨む場合が多く、一瞬でも視力値１．５の指標が見えたら、その人の視力は１．５とされていた。
【０００４】
しかし、通常視力は眼の表面の状態が潤って、整っている瞬間の視力であり、車を運転していたり、何かに集中しているときには、瞬きが減ってしまう。瞬きをしない間は、眼は乾いてきて、視力も落ちる。このように実際に被検者が日常で見えている視力（実用レベルでの視力：以下「実用視力」と記す）は、上記の通常視力検査の結果と異なってしまう可能性がある。特に、目の屈折矯正手術を受けた場合やドライアイを持つ被検者の場合には従来の視力検査で得られる通常視力と実用視力との差が大きいと言われている。
【０００５】
本発明は、上記従来技術の問題点に鑑み、被検者の実用視力を容易に検査することができる視力検査装置及び視力検査システムを提供することを技術課題とする。
【０００６】
【課題を解決するための手段】
上記課題を解決するために、本発明は以下のような構成を備えることを特徴とする。
（１）  被検者に視力検査視標を順次呈示する視標呈示手段と、被検者の応答を入力する入力手段と、入力された応答の正誤を判定する判定手段を有し、被検者の視力を検査する視力検査装置において、被検眼の通常視力を測定する通常視力検査モ−ドから被検眼の開瞼持続時の視力変化を測定する実用視力検査モ−ドに切換えるモ−ド切換手段と、被検眼の通常視力値に対応する視力値の視標を最初に呈示して検査を開始し、被検者の応答が所定の基準を満たさないときはより低い視力値の視標を呈示する視標呈示プログラムと、実用視力検査モ−ド時の測定結果を時間軸とともに記憶する測定結果記憶手段と、を備えることを特徴とする。
（２）  被検者に視力検査視標を順次呈示する視標呈示手段と、被検者の応答を入力する入力手段と、入力された応答の正誤を判定する判定手段を有し、被検者の視力を検査する視力検査装置において、被検眼の開瞼持続時の視力変化を測定する実用視力検査モ−ドに切換えるモ−ド切換手段と、有する被検眼の通常視力値に対応する視力値の視標を最初に呈示して検査を開始し、被検者の応答が所定の基準を満たさないときはより低い視力値の視標を呈示する視標呈示プログラムと、被検眼の開瞼状態を検知して瞬きがあると視標呈示プログラムを終了させるプログラム終了手段と、実用視力検査モ−ド時の測定結果を記憶する測定結果記憶手段と、を備えることを特徴とする。
（３）  （２）の視力検査装置において、前記プログラム終了手段は被検眼の開瞼状態を光学的に検出する光学的検出手段を持つことを特徴とする。
（４）  （１）及び（２）の視力検査装置は、前記呈示視標の所定の呈示時間を変更する時間変更手段を有することを特徴とする。
（５）  （１）及び（２）の視力検査装置は、呈示視標に対する応答の正答が所定の基準を満たさないときに低下させる視力値の変化段階を１段階又は複数段階に変更するための視力値変化段階変更手段を有することを特徴とする。
（６）  所定の視力値を有する視標を呈示するための呈示画面と呈示された視標に対する被検者の応答を行う応答手段とを有する通信端末と、該通信端末と通信回線網を介して接続されたサーバであって、呈示視標に対する応答結果に応じて視標の呈示を変える視力測定用の視標呈示プログラムが記録されるサーバとを備え、前記通信端末により前記サーバにアクセスして前記視標呈示プログラムを実行し、前記呈示画面に視標を順次呈示し視力測定を行うことを特徴とする。
（７）  （６）の視力検査システムにおいて、前記視標呈示プログラムは呈示視標に対する応答の正答が所定の基準を満たすときには同一の視力値段階の視標を呈示する段階と、呈示視標に対する応答の正答が所定の基準を満たさないときにはその視力値より低い視力値段階の視標を呈示する段階を含むことを特徴とする。
（８）  （７）の視力検査システムにおいて、前記通信端末は前記呈示画面と被検眼との距離を入力するための入力手段を有し、前記視標呈示プログラムは入力された距離に基づいて前記呈示画面に呈示する視標の大きさを決定する段階を含むことを特徴とする。
（９）  （８）の視力検査システムは、前記通信端末として汎用のパーソナルコンピュータ又は携帯電話を使用することを特徴とする。
【０００７】
【発明の実施の形態】
以下、本発明の実施の形態を図面に基づいて説明する。
＜実施例１＞
初めに実施例１として被検者に対して、所定距離だけ離れた位置に置いて使用する視力検査装置に本発明を適用した場合について説明する。図１は実施例１の視力検査装置の概観概略図、図２は視力検査装置の光学系及び制御系の概略を示した図である。
１は視標を呈示する装置本体を示し、正面上部には反射防止膜が施されたガラス板からなる窓２が配置され、被検者はこの窓２を介して中央に視標を見る。窓２はガラス板に代えてフィルタを配置しても良い。装置本体１の内部は黒色に塗装されており、内部構造が見えにくくしている。
【０００８】
２０は検者が使用するコントロールボックスである。２１は呈示視標の切換えや視力測定（視力検査）における各種設定を行うための操作部である。２２は呈示視標や視力検査の結果を表示するための表示部である。本実施例における表示部２２は、液晶のタッチパネルとなっており、呈示視標や検査結果の表示の他に、視力検査における各種の設定や検査開始等の操作を行うためのボタン機能も有している。２３はプリンタからなる出力部であり、被検者の検査結果（測定結果）を出力できるようになっている。
【０００９】
このコントロールボックス２０を使用することにより、装置本体１にて呈示する視標の切換えや視力検査における各種設定を行うことができる。コントロールボックス２０からの制御信号は、赤外線通信にて装置本体１側に設けられた送受信部３にて受信され、その制御信号に基づいて視標の呈示等が行われる。
【００１０】
３０は被検者が使用する応答ボックスである。応答ボックス３０には被検者が判別した視標（ここではランドルト環）の方向を指示するためのジョイスティック３１、視標の判別がつかない場合に使用する応答ボタン３２が設けられている。応答ボックス３０はケーブル４にてコントロールボックス２０と接続されており、応答ボックス３０での応答信号はケーブル４を通してコントロールボックス２０に送信されるようになっている。本実施例では、コントロールボックス２０と応答ボックス３０との接続をケーブル４にて行っているが、これに限るものではなく、赤外線通信等の無線通信にて行ってもよい。３３は応答ボックス３０に設けられ、検査（測定）を開始するための開始ボタンである。
【００１１】
図２は本実施例で使用する視力検査装置の光学系及び制御系の概略を示した図である。
１０は視標呈示部であり、装置本体１内の下部に配置されている。視標呈示部１０は、ガラス板からなる円盤状のディスクであって、その同一円周上に視力値視標等の多数の視力検査視標がクロム蒸着等により形成されている視標ディスク板、呈示視標の一部をマスクするためのマスク板、視標ディスク板及びマスク板を回転駆動させるための駆動部、視標ディスク板上の検査視標を照明する照明用ランプ、その他の光学部材等からなる。
【００１２】
本実施例で使用される視標は、最小分離閾の視角を常用対数にしたもの（等比級数で表される対比視力：logarithm of the minimum angle of resolution：以下LogMARとする。）を使用している。ここではLogMAR視標を用いているがこれに限るものではなく、従来から使用されている視力値を用いた視標でもよい。また、視標呈示部１０は送受信部３より受信した信号に基づいて視標ディスク板、マスク板を回転させ、所定の検査視標を照明ランプの光軸上に位置させるようになっている。
【００１３】
１１は凹面ミラーであり、装置本体１内部の上面に取り付けられる。１２はビームスプリッタであり、視標呈示部１０と凹面ミラー１１との光路間に置かれる。また、本形態での凹面ミラー１１は、被検眼と視力装置本体１の窓２との距離が０．９ｍのときに、視標と被検眼との光学距離を５ｍの検査距離にするようにその焦点距離が設計されている。
【００１４】
視標呈示部１０が持つ照明ランプにより照明された検査視標の光束は上方に向かい、上方に設置されたビームスプリッタ１２を透過した後、凹面ミラー１１で反射される。凹面ミラー１１で反射した視標光束はビームスプリッタ１２で反射され、窓２を介して被検眼に向かう。
【００１５】
２４は視力検査装置全体の各種制御を行うための制御部である。制御部２４は応答部３０からの信号、コントロールボックス２０での各種操作、装置本体１側の駆動等の制御を行うとともに、測定時間の計測や測定内容の記録等も行えるようになっている。２５はコントロールボックス２０からの制御信号を装置本体１へ送信したり、装置本体１側からの信号を受信するための送受信部である。
【００１６】
以上のような構成を備える視力検査装置において、図３のフローチャート、及び図４，図５の表示部２２の操作画面を示した図を用いてその動作を説明する。
検者は初めに従来から行われている視力測定（視力検査）を行い、被検者の通常視力を求める。検者はコントロールボックス２０の操作部２１及び表示部２２を使用して、被検者の氏名、性別、年齢、データＮｏ等を予め入力しておく。次に検者はコントロールボックス２０の表示部２２に表示されている通常視力の表示枠４０の各表示欄（Ｒ，両眼，Ｌ）を押すことで、通常視力の測定眼を選択する。測定眼を選択後、開始ボタン４１を押すことにより、通常視力の視標呈示プログラムが実行される。
【００１７】
開始ボタン４１が押されると、制御部２４は設定された通常視力の視標呈示プログラムに従って視標呈示部１０を使用して、所定の視力値（開始時は視力値０．５）を持ったランドルト環を装置本体１内に呈示させる。呈示視標の形状（切れ目方向）は表示部２２の視標表示欄４２に表示される。
【００１８】
被検者は装置本体１内に呈示された視標（ランドルト環）の切れ目方向を応答ボックス３０のジョイスティック３１にて入力する。視標の切れ目方向が判らない場合には応答ボタン３２を使用して、判別不能な旨を制御部２４に伝える。制御部２４は被検者からの応答を受けると、呈示視標に対するその応答の正誤を判別する。応答が正答であれば、次に１段階高い視力値を持つ視標を呈示する。以後、誤答があるまで１段階高い視力値を持つ視標を呈示する。また、初期呈示視標に対して誤答であった場合は、１段階低い視力値を持つ視標を呈示する。以後、正答があるまで（もしくは最小視力値になるまで）１段階低い視力値の視標を呈示する。視力値をアップさせた途中で誤答があったとき、若しくは視力値をダウンさせた途中で正答があったときは、同一視力値の異なる方向の視標を呈示する。同一の視力値の視標について、２回の正答（３個中２個の正答）があればその視力値を持つものと判定する。同一の視力値の視標について、２回の誤答（３個中２個の誤答）があれば、その視力値未満の視力であると判定する。このように順次視標を呈示していき、被検者が判別できる最高の視力が通常視力として測定される。
【００１９】
通常視力の測定が終了すると、次に実用視力の測定を行う。制御部２４は表示部２２の表示を実用視力測定用の表示に切換える（図５（ａ）参照）。このとき通常視力の表示枠４０の表示欄には通常視力測定で得られた視力値が表示されている。実用視力測定では、瞬きをしない間での視力を測定する。検者は被検者がまばたきをした時点で測定が終了する旨を被検者に伝えるともに、測定中できるだけまばたきをしないように指示する。
【００２０】
検者は実用視力の表示枠４３の各表示欄（Ｒ，両眼，Ｌ）を押すことで、実用視力の測定眼を選択する（ここでは右眼を選択したものとしている）。制御部２４は選択された表示欄の表示状態を反転させ、その選択場所（選択眼）を強調させる。検者は開始ボタン４１（又は開始ボタン３３）を押し、実用視力の測定用の視標呈示プログラムを開始させる。
【００２１】
制御部２４は開始ボタン４１が押されると、視標呈示部１０を使用して通常視力測定で得られた視力値（ここでは通常視力値１．２５としている）を持つ視標を測定開始時の呈示視標として装置本体１内に呈示する。また同時に制御部２４は表示部２２の実用視力の表示枠４３に、選択されている眼の通常視力値を表示させる。なお、通常視力測定時と同様に表示部２２の視標表示欄４２には、装置本体１内に呈示される視標が表示されるようになっている。また、開始ボタン４１が押されると制御部２４は表示部２２上に表示されている開始ボタン４１を消し、代わりに終了ボタン４４を表示部２２に表示させる（図５（ｂ）参照）。
【００２２】
被検者は装置本体１内に呈示されている視標を見て、その切れ目方向をジョイスティック３１にて入力する。視標の判別がつかない場合には応答ボタン３２を使用する。正答が入力された場合、制御部２４は視力値をそのままで視標の切れ目方向をランダムに切換えて視標を呈示させるように視標呈示部１０の制御を行う。誤答が入力された場合、制御部２４は視力値を一段階悪く（低く）し、視標の切れ目方向をランダムに切換えて視標を呈示させるように視標呈示部１０の制御を行う。
【００２３】
また、視標が呈示されてから所定時間内（ここでは２秒間）に被検者からの応答が無い場合も、誤答であるものとして、制御部２４は一段階低い視力値の視標を装置本体１内に呈示させるように制御を行う。正答が続いている間は、制御部２４は同視力値の視標をランダムに呈示するように制御を行う。さらに制御部２４は呈示した視標の視力値に対してその応答に要した時間を計測し、制御部２２内のメモリに記憶しておく。
また、制御部２４は呈示している視標の視力値を表示枠４３に表示させるとともに、実用視力の測定開始からの測定時間も表示枠４３の測定時間欄に逐次表示させる。
【００２４】
検者は被検者がまばたきをした時点で表示部２２の終了ボタン４４を押す。終了ボタン４４が押されると、制御部２４は実用視力の測定を終了させ、表示部２２に測定が終了した旨を表示させるとともに、表示枠４３に被検眼の実用視力値の結果を表示させる。また、制御部２４は被検者がまばたきをしなくとも最長６０秒までの測定しか行わないように制御する。本実施の形態では、測定時間は最長６０秒としているが、これに限るものではなく、実用視力測定に十分な測定時間であればよい。また、測定を終了させるために測定時間を決めるのではなく、呈示視標の呈示回数や正答数の連続回数等によって測定を終了させることもできる。
【００２５】
なお、上記では被検者の応答が誤答であったときには、常に１段階低い視力値に切換えるものとしたが、通常視力測定と同様に、所定の基準を満たす正答が得られないとき（３個中２個等の過半数の正答が得られないとき）、その視力値未満とし、所定の基準の正答（過半数以上の正答）が得られたときには、その視力値を持つものとして同じ視力値を引き続き呈示するようにしても良い。
【００２６】
また、被検者の応答の入力は検者が行っても良い。さらに、被検者の口頭による応答の正誤を検者が判定し、その正誤の判定結果を入力するようにしても良い。
【００２７】
実用視力測定の終了後、測定結果を出力したい場合には、コントロールボックス２０の操作部２１を使用して、出力部２３より測定結果を出力する。図６は出力部２３より出力した印刷内容の概要を示す図である。
【００２８】
５０は出力部２３より出力され測定結果が印刷された印刷用紙である。５１は印刷用紙５０の上部に印字される被検者データ表示欄であり、予め入力された被検者データ（氏名、年齢、性別等）がここに印刷されている。５２は通常視力値（Normal.V.A）の表示欄である。表示欄５２の下方には、表示欄５２における測定眼と同じ測定眼での実用視力（Utility.V.A）の結果が印刷されている。ここで表示欄５３は測定開始から各視標が呈示されるまでの時間（秒）が印刷されている。表示欄５４には、表示欄５３にて示されている時間における呈示視力の視力値が、表示欄５５は視標が呈示されてから回答を入力するまでの時間がそれぞれ印刷されている。
【００２９】
ここで表示欄５４に印刷される視力値は、測定開始時には左詰にて印刷されているが、視力値が低く（悪く）なるに従って右側にずれて印刷されていく。これにより、視力値の経時的な変化を見た目で把握することができるようになっている。
【００３０】
以上のように、本実施例では、実用視力を求める際に通常視力で得た視力値を出発点とし、誤答か所定時間内に応答が無い場合には、視力値を一段階低くするものとしているが、被検者の応答内容によって視力値の変化段階を変えるようにしてもよい。この場合には表示部２２の設定ボタン４５を使用することにより、モード設定一覧画面を呼出し、視力値変化量設定欄４６にて視力値の変化段階を選択することができる（図７参照）。
【００３１】
例えば、呈示する視標の視力値が被検者の視力低下に間に合わず常に誤答となっている場合、視力値を一段階低くする設定ではなく、一段階飛ばしてさらに低い視力値（先の呈示した視力値に対して二段階低い視力値）を呈示させる設定を行ってもよい。また、視力値の変化量を予め設定するのではなく、実用視力測定中に２回以上続けて誤答した場合には、制御部２４により次の呈示視力値を２段階以上低くして呈示するようにしてもよい。
【００３２】
また、呈示視標に対する応答の反応待ち時間を２秒間としているが、これに限るものではなく、モード設定一覧画面にて反応待ち時間を選択することもできる。この場合は、図７に示す反応待ち時間設定欄４７にて反応待ち時間を１秒間と２秒間のいずれかに選択することができる。
【００３３】
さらに、本実施例では通常視力測定を経てから実用視力測定に移るものとしているが、これに限るものではなく、事前に被検者の通常の視力値が判っておれば、その値を入力しておくことにより、通常の視力測定を得ることなく実用視力測定を行うことができる。このような場合も入力された視力値を持つ視標を実用視力測定の最初の呈示視標とすればよい。
【００３４】
以上の実施例では、被検者に対して所定距離だけ離れた位置に置かれる視力検査を使用したが、これに限るものではなく、装置本体内部に呈示される視標を被検者が覗き込んで使用するタイプの視力検査装置においても適用できる。以下に実施例２として覗き込みタイプの視力検査装置について本発明を適用した場合について説明する。
【００３５】
＜実施例２＞
図８は覗き込みタイプの視力検査装置における光学系及び制御系等の概略を示した図である。
１００は装置本体である。１０１は対物レンズであり、被検者は対物レンズ１０１を通して筐体内部に設置される視標ディスク板１０２の一部分を見ることができるようになっている。視標ディスク板１０２はガラス板からなる円盤状のディスクであって、その同一円周上に視力値視標等の多数の視力検査視標がクロム蒸着等により形成されている。１０３は視標ディスク板１０２の一部を裏側から照らす照明用ランプであり、この照明用ランプ１０３によって照明される視標を被検者がみることができるようになっている。１０４は視標ディスク板１０２を回転駆動させるためのモータ、１０５は対物レンズ１０１と視標ディスク板１０２との間に置かれ、外乱光を遮断するための筒状の遮蔽壁である。
【００３６】
１０６は赤外光を発するＬＥＤである。ＬＥＤ１０６からの赤外光の光束はハーフミラー１０７によって上方に折り曲げられる。上方に折り曲げられた赤外光の光束は、対物レンズ１０１と視標ディスク板１０２との間に置かれたビームスプリッタ１０８によって照明用ランプ１０３の光束と同軸とされる。照明用ランプ１０３の光束と同軸となった赤外光の光束は、対物レンズ１０１を透過して被検眼Ｅを照明し、ＬＥＤ１０６の角膜上に角膜反射像輝点を形成させる。なお、ビームスプリッタ１０８は赤外光を反射し、可視光を透過するものを使用している。
【００３７】
被検眼Ｅの角膜上にて反射した赤外の光束は、対物レンズ１０１を経てビームスプリッタ１０８にて反射される。ビームスプリッタ１０８にて反射された赤外の光束は、ハーフミラー１０７、集光レンズ１０９を得て受光素子１１０にて受光される。図９（ａ）に示すように受光素子１１０は４分割素子からなり、各素子は一定幅で分離している。角膜反射像輝点は小さいことから、その反射光は複数の素子にまたがって入ることはないようになっている。
【００３８】
また、装置本体１００の外観下部には視標を判別できない時に使用する応答ボタン１２０、ジョイスティック１２１、スタート／終了ボタン１２２が設けられており、被検者はこれらの応答手段を使用して検査を受ける。１３０は装置全体の制御を行う制御部であり、モータ１０４，受光素子１１０，応答ボタン１２０，ジョイスティック１２１，スタート／終了ボタン１２２，表示部１３１等が接続されている。表示部１３１は、実施例１で示した表示部２２と同様に液晶のタッチパネルとなっており、測定結果の表示や各種設定を行うことができる。
【００３９】
被検者又は検者はスタート／終了スイッチ１２２を押し、通常の視力測定開始する。被検者は装置本体１内部を覗き込み、内部に呈示される視標の切れ目方向をジョイスティック１２１にて応答する。視標の切れ目方向が判らない時には応答ボタン１２０を押す。制御部１３０はジョイスティック１２１，応答ボタン１２０からの信号に基づいてモータ１０４を駆動させて視標ディスク板１０２を回転させ、次の視標を被検者に呈示する。このような行程を複数回行うことにより、通常視力値が得られた後に、もう一度スタート／終了ボタン１２２を押し、実用視力測定のプログラムに移る。
【００４０】
制御部１３０はスタート／終了ボタン１２２からの２回目の信号が送られると、通常の視力測定で得られた被検者の視力値を持つ視標を、実用視力測定における最初の呈示視標として被検者に呈示させる。また同時に、実用視力検査開始時における受光素子１１０に受光される光量（角膜からの反射光束の光量）を記憶しておく。制御部１３０は実施例１と同様に図３のフローチャートに基づいて実用視力の測定を行う。
【００４１】
実用視力検査中に被検者がまばたきを行うと、瞼に当たった赤外光の反射光束が受光素子１１０に入射する。このとき受光素子１１０では図９（ｂ）に示すように４分割素子の略全域にその反射光が入射することとなる。その結果、被検者が眼を開けていた時の信号と異なる信号が受光素子１１０から制御部１３０へ送られる。制御部１３０は受光素子１１０からの信号の変化により、被検者の瞼が閉じたことを検知し、実用視力の検査を終了させる。制御部１３０は最終呈示視標の視力値を実用視力における被検者の視力値として表示部１３１にその結果を表示する。
【００４２】
＜実施例３＞
以上の実施例では視力測定専用の装置を使用しているが、これに限るものではない。以下に実施例３として汎用のパーソナルコンピュータ（以下、ＰＣと記す）を用いた場合を挙げる。図１０は汎用のＰＣを使用した視力検査システムの構成を示す図である。
２００は汎用のＰＣである。ＰＣ２００はデータを保存するためのハードディスク、ＣＰＵやインターネット接続を行うための通信部等が収められた本体２０１、キーボード２０２、マウス２０３、ディスプレイ２０４等からなる。
【００４３】
２１０は通常視力及び実用視力の測定を行うための実行プログラムが記憶されているサーバであり、プロバイダー（基地局）としての役目も果たしている。２２０は通信回線網であり、本実施例ではインターネットを使用している。被検者はＰＣ２００を使用してサーバ２１０が立ち上げているホームページにアクセスし、ＰＣ２００のディスプレイ２０４上にサーバ２１０が立ち上げているホームページを表示させる。ホームページ上では視力測定のためのプログラムを実行するための実行ボタンが用意されており、被検者はこの実行ボタンにマウス等にてカーソルを合わせクリックする。
【００４４】
実行ボタンが押されると、サーバ２１０は記憶してある視力測定を行うための実行プログラムを起動させ、ディスプレイ２０４上に各種設定用のウインドウ２０５を表示させるとともに、音声ガイド又は画面表示により被検者に操作手順を指示していく（図１１参照）。ウインドウ２０５にはディスプレイの大きさ（１５インチ，１７インチ，１９インチ）、解像度（640×480，800×600，1024×768）、被検者とディスプレイとの距離（50cm，１m，2m，3m，5m）を選択する欄が設けられており、被検者はここに表示されているラジオボタンをクリックすることにより、各種設定を行うことができる。被検者はウインドウ２０５にて各種選択した後、ウインドウ２０５に表示されているＯＫボタンをクリックする。
【００４５】
ＯＫボタンが押されると、サーバ２１０はウインドウ２０５にて選択された情報を基に、対応する視標をディスプレイ２０４上に呈示させ、通常の視力測定を開始する。被検者は呈示視標の切れ目方向をキーボード２０２に設けられている上下左右の矢印キーを用いて決定し、その応答をサーバ２１０に伝える。サーバ２１０は被検者からの応答内容により、先の例と同じような通常視力測定のプログラムに従って種々の視標を被検者に順に呈示して行き、被検者の持つ視力値を測定する。被検者の通常の視力値が決定すると、サーバ２１０はその旨をディスプレイ２０４に表示させ、通常視力の測定を終了する。
【００４６】
次に、被検者は音声ガイド又は画面表示にしたがってキーボード２０２の「Enter」キーを押し、実用視力の測定に移る。サーバ２１０は「Enter」キーが押されると、通常視力測定で得られた被検者の視力値を持つ視標を実用視力測定の最初の呈示視標としてディスプレイ２０４に表示させる。被検者は通常視力測定と同じように上下左右の矢印キーにて応答する。
【００４７】
実用視力測定も、実施例１で示した図３のフローチャートに示した実用視力測定のプログラムに基づいて行われる。被検者はまばたきをしたら、被検者自身によってキーボード２０２上のスペースキーを押す。スペースキーが押されると、サーバ２１０は実用視力測定の実行プログラムを終了させ、最終の呈示視標の視力値を被検者の実用視力として、ディスプレイ上に表示させる。
【００４８】
以上のように、視力測定専用の装置でなくとも、実用視力測定を簡単に行うことが可能である。また、ディスプレイ２０４と被検者との距離が３ｍ，５ｍ等と離して使用する際には、キーボード操作は赤外線通信式等の無線通信にて行えばよい。
【００４９】
また、本実施例ではサーバ２１０上にて視力測定（視力検査）のプログラムを実行するものとしているが、これに限るものではなく、サーバ２１０から視力検査用のプログラムをＰＣ２００にダウンロードし、サーバ２１０を使用せずＰＣ２００のみで視力測定を行うことも可能である。
【００５０】
さらに、汎用のＰＣを使用する以外に、インターネット接続機能を有する通信端末を使用して実用視力を測定することもできる。図１２はインターネット接続機能を有する携帯電話の外観略図を示した図である。
【００５１】
３００は携帯電話である。被検者は携帯電話を使用してインターネットに接続し、図１０で示したサーバ２１０から実用視力検査用のプログラムをダウンロードする。被検者は携帯電話を持ち、腕いっぱいに延ばした位置で携帯電話の画面３０１を見えるようにして持ち、被検眼から画面３０１までの距離をメジャー等にて測っておく。
【００５２】
被検者はダウンロードした実用視力測定用のプログラムを実行し、設定画面にて事前に測っておいた被検眼から携帯電話３００までの距離と、被検者の視力値とを電話番号等を入力する際に使用するボタン群３０２にて入力する。携帯電話３００に内蔵されているＣＰＵ等からなる制御部は、実用視力測定用のプログラムに基づいてボタン群３０２にて入力された距離にあったランドルト環の大きさの視標を演算し、画面３０１に表示させる。
【００５３】
被検者は腕いっぱい延ばした状態で携帯電話３００を持ち、携帯電話３００上のボタン３０３を使用して実用視力測定を始める。視標の判別は携帯電話３００に設けられている十字キー３０４にて行う。また、実用視力測定の手順は実施例１で示した図３のフローチャートに基づいて行われる。被検者がまばたきをしたら、被検者自身によって携帯電話３００上に設けられているボタン３０５を押し、実用視力測定を終了させる。
【００５４】
測定が終了すると、携帯電話３００内部の制御部はプログラムにしたがって画面３０１に測定日時、測定結果、測定距離等を表示させる。また、被検者はボタン３０５を押し、その結果をサーバ３１０へ送信する。サーバ３１０は被検者のメールアドレスとともに送られてきたデータをサーバ３１０に保存しておく。このように保存された視力値のデータは、後日携帯電話等を使用してインターネットに接続し、サーバ３１０が立ち上げているホームページ上にアクセスし、過去の視力値の変化状態を数値又はグラフ等にて見ることが可能である。
【００５５】
また、携帯電話を使用した実施例では実用視力計のみを測定したが、他の実施例と同じように通常の視力検査を行うようにしてもよい。
【００５６】
【発明の効果】
以上のように、本発明では測定を開始してからまばたきをするまでの時間における被検者の実用的な視力値を容易に測定することができる。また、インターネット等の通信回線を使用することにより、汎用のパソコンや携帯電話にて実用視力測定を容易に行うことができる。
【図面の簡単な説明】
【図１】本実施の形態で使用する視力検査装置の構成を示す図である。
【図２】視力検査装置の光学系及び制御系を示す概略図である。
【図３】視力検査の手順を示すフローチャートである。
【図４】通常の視力検査を行うための操作画面を示す図である。
【図５】実用視力検査を行うための操作画面を示す図である。
【図６】印字結果の詳細を示す図である。
【図７】モード設定を行うための操作画面を示す図である。
【図８】本発明を適用した覗き込み式の視力検査装置を示す図である。
【図９】受光素子の構成を示す図である。
【図１０】汎用のパソコンを使用した視力検査システムの構成を説明する図である。
【図１１】視力検査を行うための設定画面を示す図である。
【図１２】本発明を適用した携帯電話の機能構成を示す図である。
【符号の説明】
１  装置本体
１０  視標呈示部
１１  凹面ミラー
１２  ビームスプリッタ
２０  コントロールボックス
２１  操作部
２２  表示部
２３  出力部
２４  制御部
３０  応答ボックス
３１  ジョイスティック
３２  応答ボタン
３３  開始ボタン
【図１】
0005007435.tif 000002
【図２】
0005007435.tif 000003
【図３】
0005007435.tif 000004
【図４】
0005007435.tif 000005
【図５】
0005007435.tif 000006
【図６】
0005007435.tif 000007
【図７】
0005007435.tif 000008
【図８】
0005007435.tif 000009
【図９】
0005007435.tif 000010
【図１０】
0005007435.tif 000011
【図１１】
0005007435.tif 000012
【図１２】
0005007435.tif 000013